(57)【要約】【課題】積み木のもつ玩具としての良さを生かしながら、光のもつ意外性を加えることで遊びの楽しさを増幅させることができる玩具を提供する。【解決手段】透視するための第1の偏光シート４を有する偏光めがね１と、発光部９を有し発光部９の前側に第２の偏光シート１０を有する表示装置２と、第２の偏光シート１０上に配設されて偏光めがね１により観察する透過性の被照射体３とを備えている。被照射体３は、例えばポリカーボネート樹脂またはスチロール部材であり、三角形状または四角形状の平板ないしシートである。また被照射体３は、表面に凹凸部を設けてもよい。表示装置２は外形が半球形状である。【選択図】  図１
2004195066.tif 000002
【特許請求の範囲】
【請求項１】
透視するための第1の偏光シートを有する偏光めがねと、発光部を有し前記発光部の前側に第２の偏光シートを有する表示装置と、前記第２の偏光シート上に配設されて前記偏光めがねにより観察する透過性の被照射体とを備えた玩具。
【請求項２】
前記被照射体は、ポリカーボネート樹脂またはスチロール部材である請求項1記載の玩具。
【請求項３】
前記被照射体は、少なくとも平面視にて三角形状または四角形状である請求項１または請求項２記載の玩具。
【請求項４】
前記被照射体は、表面に凹凸部を有する請求項２記載の玩具。
【請求項５】
前記表示装置は外形が半球形状である請求項1記載の玩具。
【発明の詳細な説明】
【０００１】
【発明の属する技術分野】
この発明は、特に幼児や子供の遊びに利用される玩具に関するものである。
【０００２】
【従来の技術】
偏光板を用いて光を変化させるものとして、例えば光源の前方に第１の偏光板を設けその前方に多色発色板を設け、その前方に乳白色プラスチック板を配置しその背面に第２の偏光板を貼付し、第１の偏光板および多色発色板を回転して、照射光が揺動して見えるようにした祭壇装置体があった（特許文献）。
【０００３】
しかし、従来において、偏光板を用いて、見て楽しむような玩具はなかった。
【０００４】
【特許文献】
特開平7-194480号
【０００５】
【発明が解決しようとする課題】
積み木のように基本的なパーツを組合せて遊ぶ玩具はあったが、それだといろいろな形はつくれるが、意外性がなかった。
【０００６】
したがって、この発明の目的は、積み木のもつ玩具としての良さを生かしながら、光のもつ意外性を加えることで遊びの楽しさを増幅させることができる玩具を提供することである。
【０００７】
【課題を解決するための手段】
請求項１記載の玩具は、透視するための第1の偏光シートを有する偏光めがねと、発光部を有し前記発光部の前側に第２の偏光シートを有する表示装置と、前記第２の偏光シート上に配設されて前記偏光めがねにより観察する透過性の被照射体とを備えたものである。
【０００８】
請求項1記載の玩具によれば、ランプなどの発光部は、被照射体の透過色をより美しく明るく見せる。被写体を重ねることでも透過色は違って見える。これらの操作で手を動かしながら光のもつ意外性を楽しむことができ、好奇心をはぐくみ自由に伸ばすのに役立つ。さらに、めがねをつけるという行為で、これから光グッズの世界に入っていくという導入効果がある。
【０００９】
請求項２記載の玩具は、請求項１において、前記被照射体が、ポリカーボネート樹脂またはスチロール部材である。
【００１０】
請求項２記載の玩具によれば、請求項１と同様な効果がある。
【００１１】
請求項３記載の玩具は、請求項２において、前記被照射体が、少なくとも平面視にて三角形状または四角形状である。
【００１２】
請求項３記載の玩具によれば、請求項２と同様な効果のほか、被照射体を用いて子供にとってパーツの組み合わせを楽しむことができる。
【００１３】
請求項４記載の玩具は、請求項２において、前記被照射体は、表面に凹凸部を有するものである。
【００１４】
請求項４記載の玩具によれば、請求項２と同様な効果のほか、表面に凹凸部があることによって、凹凸部がないものと違った透過色の見え方になり意外性の効果が増す。
【００１５】
請求項５記載の玩具は、請求項１において、前記表示装置が外形が半球形状である。
【００１６】
請求項５記載の玩具によれば、請求項１と同様な効果のほか、表示装置を丸形に形成することにより、子供が表示装置にあたってもけがをしにくい。
【００１７】
【発明の実施の形態】
この発明の第１の実施の形態の図１から図６に基づいて説明する。この玩具は、偏光めがね１と、表示装置２と、被照射体３を有する。
【００１８】
偏光めがね１は透視するための第1の偏光シート４を有する。子供が遊ぶことを考慮して、偏光めがね１のフレーム５はやや太めの幅12mmとしている。フレーム５は丸形のレンズに当たる部分６と耳掛け部７と連結部８からなり、レンズに当たる部分６に偏光シート４を取り付けている。そして、偏光めがね１を顔に設置し、表示装置２の被照射体３を見るように使用する。なお、偏光めがねの枠は幅１２mmから１５mmが好ましい。偏光めがね１の枠幅をこのようにかなり広い形状にすることにより、子供の遊びの楽しさを増すことができる。
【００１９】
表示装置２は、例えばランプなどの照明灯すなわち発光部９を有し、発光部９の前側に第２の偏光シート１０を有する。実施の形態の表示装置２は本体１３の外形が半球形状であり、その開口部１２に例えば断面Ｌ字形のリング１１を回転自在に被冠している。本体１３は開口部１２と反対側の外面に例えば４本の支持脚１４を突出し、支持脚１４を水平な床面等に載置したとき、開口部１２を略水平に保持する。本体１３の内部に発光部９を配置している。発光部９は環形蛍光ランプを用いそのランプを支持するとともに点灯装置を有する照明器具本体１９を本体１３の内部に固定している。開口部１２に例えばガラス板やアクリル樹脂製などの透明板を介して例えばアクリル樹脂製の乳白板１６、第２の偏光シート１０および例えばアクリル樹脂製の透明板１５を順次重ねて開口部１２を塞ぎ、さらにその上にリング１１を被冠して偏光シート１０を回転可能に固定している。このリング１１はその外周に沿って波形１１ａの形状を施し、色も明るい色を使い楽しさ演出をしている。本体１３は偏光めがね１の造形とともに、子供が使うことを意識して形はかなり丸っぽい形状としており、当たってもけがをしないように配慮している。
【００２０】
透過性の被照射体３は、第２の偏光シート１０上に配設されて偏光めがね１により観察する。この被照射体３は例えばポリカーボネート樹脂またはスチロール部材を用いる。形状としては例えば平面視にて丸形のほか、三角形状または四角形状などの板またはシート状などである。被照射体３の厚みは例えば３mmから５mmが好ましく、また被照射体３の表面に図６（ｂ）に示すように凹凸部１７を形成してもよい。これらの被照射体３を透明板１５上に載せて発光部９を点灯させて上方から見るように使用する。例えば被照射体３の厚みの異なるものや凹凸部の有無のものを使用することによって、さらに被照射体を重ねることで異なる透過色に見えるので意外性の効果が増す。
【００２１】
偏光シート４がついた偏光めがね１をかけて、素材がポリカーボネートおよびスチロールの丸形、三角形、四角形などの形をした被照射体３のパーツを、半球形の表示装置２の開口部１２の透明板１５上に載せていろいろな形に組み合わせる。その時、表示装置２にも偏光シート１０があるため、偏光めがね１と表示装置２の偏光シート１０の間においたパーツが様々な色に見える。さらにパーツをいろんな方向に回したり重ねたりすると色が変化してみえるため、パーツを組み合わせることと、色を組み合わせることの２通りの遊びができる。また表示装置２を回転させることで、パーツの色を変えることもできる。２枚の偏光シート４、１０はそのままで、被照射体３を回転させることでも透過色が変化する。
【００２２】
このように、２枚の偏光シート４、１０を使って、その間に入れた被照射体３を偏光シート４ごしに見ることにより、被照射体２に様々な透過色がついて見ることができる。
【００２３】
この発明の第２の実施の形態を図７に示す。すなわち、この玩具は、第１の実施の形態の透明板１５、偏光シート１０および乳白板１６を開口部１２に着脱可能に固定して開口部１２を塞いだもので、偏光シート４、１０は表示装置２を回転することにより相対的に回転することができる。１７は電源接続部１８を着脱可能に係止する係止爪である。
【００２４】
なお、この発明において、第1の偏光シート４を例えばフレーム５に周溝を形成して、周溝に偏光シート４を収納することにより回転自在に設けてもよい。例えば第２の偏光シート１０はそのままで偏光めがね１側の第１の偏光シート４を回転方向に少しづつ動かしていくと、被照射体３の色が様々な透過色に変化して見えてくる。この場合、第２の偏光シート１０を固定してもよく、偏光シート４、１０の両方または少なくとも一方を平面内で回転可能にしたものでもよい。
【００２５】
さらに、偏光シート４、１０の少なくとも一方を着脱可能にし、偏光シート４、１０の厚みを変えたり、表面に凹凸部を設けてもよい。
【００２６】
【発明の効果】
請求項1記載の玩具によれば、ランプなどの発光部は、被照射体の透過色をより美しく明るく見せる。被写体を重ねることでも透過色は違って見える。これらの操作で手を動かしながら光のもつ意外性を楽しむことができ、好奇心をはぐくみ自由に伸ばすのに役立つ。さらに、めがねをつけるという行為で、これから光グッズの世界に入っていくという導入効果がある。
【００２７】
請求項２記載の玩具によれば、請求項１と同様な効果がある。
【００２８】
請求項３記載の玩具によれば、請求項２と同様な効果のほか、被照射体を用いて子供にとってパーツの組み合わせを楽しむことができる。
【００２９】
請求項４記載の玩具によれば、請求項２と同様な効果のほか、表面に凹凸部があることによって、凹凸部がないものと違った透過色の見え方になり意外性の効果が増す。
【００３０】
請求項５記載の玩具によれば、請求項１と同様な効果のほか、表示装置を丸形に形成することにより、子供が表示装置にあたってもけがをしにくい。
【図面の簡単な説明】
【図１】この発明の第１の実施の形態の断面図である。
【図２】その外観斜視図である。
【図３】偏光めがねの正面図である。
【図４】その平面図である。
【図５】（ａ）は図３のＡ−Ａ線断面図、（ｂ）は同図Ｂ−Ｂ線断面図である。
【図６】（ａ）は被照射体の斜視図、（ｂ）は表面に凹凸部がある場合の正面図、（ｃ）は表面がフラットのタイプの正面図である。
【図７】第２の実施の形態の概略断面図である。
【符号の説明】
１    偏光めがね
２    表示装置
３    被照射体
４    第１の偏光シート
５    フレーム
９    発光部
１０    第２の偏光シート
１３    本体
【図１】
2004195066.tif 000003
【図２】
2004195066.tif 000004
【図３】
2004195066.tif 000005
【図４】
2004195066.tif 000006
【図５】
2004195066.tif 000007
【図６】
2004195066.tif 000008
【図７】
2004195066.tif 000009